(57)【要約】【課題】本発明は、主カバーに端部カバーが取り付けられた部分において、明るさの低下を抑制でき、意匠性を改善できるカバー、および照明装置を提供することを目的とする。【解決手段】本発明に係る透光性のカバーは、光源を覆うように配置されるとともに、光源から発せられ直接入射する光を第１の透過率で透過させる第１透光部、光源を覆うように配置されるとともに、光源から発せられ直接入射する光を第２の透過率で透過させる第２透光部、および、第１透光部と第２透光部とが光源から発せられる光と交差する向きに沿って積層されており、光源から発せられ第１の透光部と第２の透光部の両方を透過する光を第１の透過率と第２の透過率とのいずれか低い透過率の５０％以上である積層透過率で透過させる透光性の積層部を備えている。【選択図】          図１０
2019186120.tif 000002
【特許請求の範囲】
【請求項１】
光源を覆うように配置されるとともに、前記光源から発せられ直接入射する光を第１の透過率で透過させる第１透光部と、
前記光源を覆うように配置されるとともに、前記光源から発せられ直接入射する光を第２の透過率で透過させる第２透光部と、
前記第１透光部と前記第２透光部とが前記光と交差する向きに沿って積層されており、前記光源から発せられ前記第１の透光部と前記第２の透光部の両方を透過する光を前記第１の透過率と前記第２の透過率とのいずれか低い透過率の５０％以上である積層透過率で透過させる透光性の積層部と
を備えている透光性のカバー。
【請求項２】
前記積層透過率は、
前記第１の透過率と前記第２の透過率とのいずれか低い透過率よりも低い透過率である請求項１に記載の透光性のカバー。
【請求項３】
前記積層透過率は、
前記第１の透過率と前記第２の透過率とのいずれか高い透過率の５０％以上の透過率である請求項１または請求項２に記載の透光性のカバー。
【請求項４】
前記積層部は、
前記第１透光部と前記第２透光部とのいずれか一方に一体的に形成されており、前記光を前記第１の透過率および前記第２の透過率より高い第３の透過率で透過させる第３透光部と、前記第３透光部が形成されていない前記第１透光部と前記第２透光部とのいずれか他方とが積層されている請求項１から請求項３のいずれか一項に記載の透光性のカバー。
【請求項５】
前記第３透光部は、
前記第３透光部が形成されていない前記第１透光部と前記第２透光部とのいずれかよりも前記光源に近い位置に配置されている請求項４に記載の透光性のカバー。
【請求項６】
前記第３透光部は、
前記第３透光部が形成されていない前記第１透光部と前記第２透光部とのいずれかよりも前記光源から遠い位置に配置されている請求項４に記載の透光性のカバー。
【請求項７】
前記第３透光部は、
前記第３透光部が形成されていない前記第１透光部と前記第２透光部とのいずれかよりも前記光源に近い位置と前記光源から遠い位置とに配置されている請求項４から請求項６のいずれか一項に記載の透光性のカバー。
【請求項８】
前記第１透光部および前記第２透光部は、
前記光を拡散透過させる請求項１から請求項７のいずれか一項に記載の透光性のカバー。
【請求項９】
光源と、
前記光源を覆うように配置されるとともに、前記光源から発せられ直接入射する光を第１の透過率で透過させる第１透光部、前記光源を覆うように配置されるとともに、前記光源から発せられ直接入射する光を第２の透過率で透過させる第２透光部、および前記第１透光部と前記第２透光部とが前記光と交差する向きに沿って積層されている透光性の積層部とを有する透光性のカバーと
を備え、
前記積層部は、
前記光源から発せられ前記第１の透光部と前記第２の透光部の両方を透過する光を前記第１透過率と前記第２透過率とのいずれか低い透過率の５０％以上である積層透過率で前記光を透過させる照明装置。
【発明の詳細な説明】
【技術分野】
【０００１】
本発明は、照明装置に関し、特に、光源の光を透過させるカバーとこのカバーを備えた照明装置に関する。
【背景技術】
【０００２】
従来、天井などに取り付けられる器具本体と、この照明装置に取り付けられる光源ユニットとを備え、室内等を照明することができる照明器具が知られている（例えば、特許文献１参照）。
【０００３】
特許文献１に記載された光源ユニットは、発光素子が実装された基板を覆うようにして取付部材に取り付けられるカバー部材と、カバー部材の長手方向における両端にそれぞれ取り付けられる一対のエンドキャップとを有する光源ユニットを備えている。
【先行技術文献】
【特許文献】
【０００４】
【特許文献１】特開２０１４−１７９２０７号公報
【発明の概要】
【発明が解決しようとする課題】
【０００５】
特許文献１に記載されたエンドキャップは、カバー部材の長手方向における両端に取り付けられた状態では、摩擦力によってエンドキャップがカバー部材に支持されるように、エンドキャップの一面に円弧状に突出した突条部がカバー部材の内周面と接触している。
【０００６】
このような構成において、エンドキャップとカバー部材とが接触している部分では、発光素子から発する光はエンドキャップとカバー部材とを通過する。このため、エンドキャップとカバー部材とが接触している部分では、接触していない部分よりも光が減衰し、充分な光量（光束）を得ることができず、また、部分的に暗がりとなって意匠性か損なわれるという課題があった。
【０００７】
本発明は、上記の課題を鑑みてなされたものであり、主カバー（特許文献１におけるカバー部材）に端部カバー（特許文献１におけるエンドキャップ）が取り付けられた部分において、明るさの低下を抑制でき、意匠性を改善できるカバー、および照明装置を提供することである。
【課題を解決するための手段】
【０００８】
本発明の一態様に係る透光性のカバーは、
光源を覆うように配置されるとともに、前記光源から発せられ直接入射する光を第１の透過率で透過させる第１透光部と、
前記光源を覆うように配置されるとともに、前記光源から発せられ直接入射する光を第２の透過率で透過させる第２透光部と、
前記第１透光部と前記第２透光部とが前記光と交差する向きに沿って積層されており、前記光源から発せられ前記第１の透光部と前記第２の透光部の両方を透過する光を前記第１透過率と前記第２透過率とのいずれか大きい透過率の５０％以上である積層透過率で透過させる透光性の積層部とを備えている。
【発明の効果】
【０００９】
本発明の一態様に係る透光性のカバーによれば、光源から発せられる光が第１の透過率で透過する第１透光部（主カバー）と第２の透過率で透過する第２透光部（端部カバー）とが積層される積層部の透過率を、第１透過率と第２透過率とのいずれか大きい透過率の５０％以上としたので、主カバーに端部カバーが取り付けられた部分において、明るさの低下を抑制することができ、意匠性を改善することができる。
【図面の簡単な説明】
【００１０】
【図１】実施の形態１に係る照明装置の斜視図である。
【図２】実施の形態１に係る照明装置を本体ユニットと光源ユニットとに分割した分割斜視図である。
【図３】実施の形態１に係る光源ユニットの斜視図である。
【図４】実施の形態１に係る照明装置の正面図であり、光源ユニットの本体ユニットへの取り付けを説明する図である。
【図５】実施の形態１に係る光源ユニットの断面図である。
【図６】実施の形態１に係る光源ユニットの主要部を説明する分解斜視図である。
【図７】実施の形態１に係る光源ユニットの端部を説明する分解図である。
【図８】実施の形態１に係る端部カバーを説明する斜視図である。
【図９】実施の形態１に係る端部カバーを説明する５面図である。
【図１０】実施の形態１に係る端部カバーの主カバーへの取り付けを説明する断面図である。
【図１１】実施の形態２に係る端部カバーの主カバーへの取り付けを説明する断面図である。
【図１２】実施の形態３に係る端部カバーの主カバーへの取り付けを説明する断面図である。
【発明を実施するための形態】
【００１１】
本発明の実施の形態に係る透光性のカバー、および照明装置ついて、図面を参照して説明する。同じまたは対応する構成要素には同じ符号を付し、説明の繰り返しを省略する場合がある。
【００１２】
なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上、そのように記載されており、装置、器具、あるいは部品等の配置、方向および向きを限定するものではない。
【００１３】
実施の形態１．
本発明は、光源から発せられる光が第１の透過率で透過する第１透光部である主カバーと第２の透過率で透過する第２透光部である端部カバーとが積層される積層部の透過率を、第１透過率と第２透過率とのいずれか大きい透過率の５０％以上とし、主カバーに端部カバーが取り付けられた部分において、明るさの低下を抑制することができる透光性のカバー、このカバーを用いた照明装置に関するものである。
【００１４】
＜＜照明装置１の全体の構成＞＞
図１から図５を参照して、実施の形態１に係る照明装置１の全体の構成を説明する。
【００１５】
図１は、実施の形態１に係る照明装置の斜視図である。図２は、実施の形態１に係る照明装置を本体ユニットと光源ユニットとに分割した分割斜視図である。図３は、実施の形態１に係る光源ユニットの斜視図である。図４は、実施の形態１に係る照明装置の正面図であり、光源ユニットの本体ユニットへの取り付けを説明する図である。図５は、実施の形態１に係る光源ユニットの断面図であり、図３におけるＡ−Ａ断面図である。図６は、実施の形態１に係る光源ユニットの主要部を説明する分解斜視図である。
【００１６】
図１に示すように、照明装置１は天井、壁などの造営部９に取り付けられて使用される照明装置である。本実施の形態では、照明装置１は長尺形状である。
【００１７】
以下の説明において、照明装置１の長手方向に沿った方向を長手方向Ｘ、長手方向Ｘに直交し長手方向Ｘに対する短手方向を短手方向Ｙ、長手方向Ｘおよび短手方向Ｙのいずれとも直交する方向を上下方向Ｚとする。また、長手方向において、長手端部側への向きを端向きＸ１とし、端向きＸ１と反対側への向きであり長手中央側への向きを中向きＸ２とする。さらに、上下方向Ｚにおいて、照明装置１が取り付けられる造営部９側（すなわち天井、壁などの被取付部側）への向きを上向きＺ１とし、上向きＺ１と反対側への向きであり照明装置１から光が照射される照射空間側への向きを下向きＺ２とする。なお、上向きＺ１は、光源ユニット３が本体ユニット２に取り付けられる向きであり、下向きＺ２は、光源ユニット３が本体ユニット２から取り外される向きである。
【００１８】
図２に示すように、照明装置１は、本体ユニット２に設けられた収容部２００に光源ユニット３が収容される構成となっている。本体ユニット２は収容部２００に配置されるバネ２２を有し、光源ユニット３は台座３１に配置されるバネ受具３６を有する。
【００１９】
照明装置１は、本体ユニット２の上面を天井、壁等の造営部９に直付け設置される直付けタイプの照明装置である。すなわち、照明装置１は、直付けタイプの本体ユニット２を備える。図１および図２に示す本体ユニット２の短手方向Ｙの幅寸法は、例えば、１５０ｍｍである。
【００２０】
＜本体ユニット２の構成＞
図１、図２を参照して実施の形態１に係る本体ユニット２の構成を説明する。
【００２１】
図１、図２に示すように、本体ユニット２は、器具本体２０と、器具本体２０の両端部に取り付けられる器具端部２１とを備える。本体ユニット２は長尺形状に形成されている。器具本体２０は、短手方向Ｙに沿った断面形状（長手方向Ｘに沿って見た断面形状）が略コ字形状に形成され、長手方向Ｘに延設された収容部２００を備える。実施の形態１では、器具本体２０および器具端部２１は、板金が折り曲げられて形成される。収容部２００は折り曲げられた板金に囲まれた長尺形状の空間である。
【００２２】
図２に示すように、収容部２００は、長手方向Ｘに延びた器具底面部２０１と、短手方向Ｙにおける器具底面部２０１の両端部を基端部として立ち上がる器具側面部２０２とを備える。器具端部２１は、収容部２００の長手方向Ｘにおける両端部を覆うように器具本体２０に取り付けられる。器具端部２１には、複数の照明装置１を長手方向Ｘに連結設置する場合に送り電線の挿通等に開放するノックアウト２１０が形成されてもよい。
【００２３】
収容部２００は、長手方向Ｘに延びる３面を器具本体２０に覆われ、長手方向Ｘにおける両端部を器具端部２１によって覆われており、長手方向Ｘに延びる１面が開放されている。すなわち、本体ユニット２には開口縁部２０３に囲まれた矩形をなす開口が形成されている。光源ユニット３はこの開口から収容部２００の内部に一部が収納される。
【００２４】
器具底面部２０１には、複数の貫通孔２０６が形成されており、本実施の形態では、貫通孔２０６として、商用電源から電力供給を受けるための電源線（図示は省略）を収容部２００内に引き込む配線孔２０８と、固定具（図示は省略）を用いて本体ユニット２を造営部９に固定するための固定孔２０７が形成されている。
【００２５】
本体ユニット２は、短手方向Ｙにおける収容部２００の外側に、長手方向Ｘに延設された開口周部２０４を備える。本実施の形態では、開口周部２０４は器具本体２０と一体に形成されている。開口周部２０４は、器具側面部２０１の基端部と反対側の先端部を短手方向Ｙにおける外側に向って折り曲げられている。開口周部２０４は、照射側に面した下面部であり、光源ユニット３から照射される光の一部を照射空間側に反射する反射部である。開口周部２０４は鍔部ともいう。
【００２６】
本体ユニット２は、短手方向Ｙにおける開口周部２０４の外側に、長手方向Ｘに延設された斜面部２０５を備える。本実施の形態では、斜面部２０５は器具本体２０と一体に形成されている。斜面部２０５は、器具側面部２０１と反対側の先端部を上下方向Ｚにおける上向きＺ１且つ短手方向Ｙにおける外側の向きである斜め上方に向って折り曲げられている。斜面部２０５は、光源ユニット３から照射される光の一部を照射空間側に反射する反射部である。
【００２７】
本体ユニット２は、長手方向Ｘにおける収容部２００の端部に、短手方向Ｙに延設された開口周部２１１を備える。開口周部２１１は、収容部２００の長手方向Ｘにおける両端部の一部を覆うように配置される。開口周部２１１は、本体ユニット２に光源ユニット３を装着した状態で、本体ユニット２と光源ユニット３との間の隙間を塞ぐ。本実施の形態では、開口周部２１１は器具端部２１と一体に形成されている。開口周部２１１は、器具端部２１の開口縁部２０３側を長手方向Ｘにおける中向きＸ２に向って折り曲げられている。開口周部２１１は、照射側に面した下面部あり、光源ユニット３から照射される光の一部を照射空間側に反射する反射部である。開口周部２１１は鍔部ともいう。
【００２８】
図５に示すように、収容部２００には、本体ユニット２側の連結部であり器具側連結具であるバネ２２、器具配線具２４である器具電源線２４０、端子台２４３等が配置される。詳しくは、器具底面部２０１に、２つのバネ２２、および端子台２４３が取り付けられている。バネ２２は、後述する光源ユニット３が備えるバネ受具３６に対応する位置に配置される。端子台２４３は、電源端子台である。あるいは、端子台２４３は信号端子台である。端子台２４３は、電源端子台と信号端子台を一体に構成したものであってもよい。
【００２９】
＜器具配線具２４＞
図５に示すように、本体ユニット２の収容部２００には、器具電源線２４０、制御線２４２、端子台２４３を含む器具配線具２４、および電源電線（図示は省略）等が配設される。つまり、収容部２００は配線空間としての機能を有する。
【００３０】
端子台２４３は、ネジ２５（図示は省略）を用いて器具底面部２０１に固定される。端子台２４３には、後述する光源ユニット３の点灯装置３５への電力供給経路となる器具電源線２４０が接続される。本実施の形態では、器具電源線２４０の先端部に器具電源線コネクタ２４１が設けられている。器具電源線コネクタ２４１は、後述する光源ユニット３の点灯装置３５に接続される光源電源線４０１の先端部に設けられた光源電源線コネクタ４０２と接続されることによって点灯装置３５への電力供給経路となる。
【００３１】
また、端子台２４３には、点灯装置３５に接続され、点灯装置３５から出力される点灯電力を調整する制御信号の伝達経路となる器具制御線２４２が接続されてもよい。この場合、端子台２４３は、器具電源線２４０が接続されるものと器具制御線２４２ものとを別々に備えてもよい。
【００３２】
そして、端子台２４３には、外部電源（図示は省略）に接続され、外部電源からの電力供給経路となる電源電線（図示は省略）が接続される。
【００３３】
さらに、端子台２４３には照明装置１を長手方向に連結した場合には、隣接する照明装置に電力や制御信号を送るための送り電線が接続される。この場合、収容部２００内には、電源電線と送り電線とが配設される。
【００３４】
＜バネ２２＞
バネ２２は、連結ユニット１０を構成する本体ユニット２側の連結部であり器具側連結具ともいう。バネ２２は、光源ユニット３側の連結部であるバネ受具３６と係り合う（係合する）ことによって光源ユニット３を本体ユニット２に連結する。すなわち、バネ２２は、光源ユニット３のバネ受具３６とともに、照明装置１の連結ユニット１０を構成する。バネ２２は、バネ鋼、ステンレス鋼等の金属製の弾性材料を用いて形成される。
【００３５】
図２、４に示すように、本実施の形態では、２つのバネ２２は、本体ユニット２の長手方向Ｘにおける両端部側にそれぞれ配置される。バネ２２は、ネジ２５を用いて器具底面部２０１に固定される。バネ２２は、後述する光源ユニット３が備えるバネ受具３６に対応する位置に配置される。つまり、バネ２２は、後述する光源ユニット３が備えるバネ受具３６に対応して、本体ユニット２の長手方向Ｘにおける一方の端部側に配置されてもよいし、長手方向Ｘにおける両方の端部側に配置されてもよい。なお、バネ２２およびバネ２２に対応して後述する光源ユニット３が備えるバネ受具３６は、光源ユニット３に取り付けられる点灯装置３５等と接触しない位置を選択して配置する。
【００３６】
バネ２２は、後述する光源ユニット３が備えるバネ受具３６と係り合い、光源ユニット３を本体ユニット２に連結固定する。バネ２２は、光源ユニット３のバネ受具３６とともに、光源ユニット３を引っ張ることによって本体ユニット２に取り付ける連結ユニット１０を構成する。
【００３７】
＜光源ユニット３の構成＞
図１から図６を参照して実施の形態１に係る光源ユニット３の構成を説明する。
【００３８】
図２、図３に示すように、光源ユニット３は、発光部３０、台座３１、カバー３３、点灯装置３５、光源配線具４０、バネ受具３６を備える。光源ユニット３は長尺形状に形成されている。光源ユニット３は、本体ユニット２に形成された収容部２００の内部に一部が収納された状態で、本体ユニット２に取り付けられる。
【００３９】
＜発光部３０＞
発光部３０は、基板３００と基板３００に配置される発光素子３０１とからなる。本実施の形態では、基板３００は、ガラス・エポキシ基板（ＦＲ−４）、ガラス・コンポジット基板（ＣＥＭ−３）、紙エポキシ基板（ＦＲ−３）、紙フェノール基板（ＸＰＣ）、金属ベース基板などを用いることができる。
【００４０】
基板３００は長尺形状であり、矩形状に形成されている。基板３００は長手方向が照明装置の長手方向Ｘに沿うように、後述する台座３１に設置される。基板３００の実装面には、長手方向Ｘに沿って列状に複数の発光素子３０１が面実装されている。そして、基板３００の少なくとも実装面には、導電性材料からなる配線パタン（図示は省略）が敷設されており、発光素子３０１と配線パタンとが電気的に接続されて光源回路が形成される。発光素子３０１と配線パタンとは、例えば、半田付けなどによって接続される。点灯装置３５から基板３００に点灯電力が供給されると、発光素子３０１が点灯する。
【００４１】
本実施の形態では、発光素子３０１として発光ダイオード（Ｌｉｇｈｔ  Ｅｍｉｔｔｉｎｇ  Ｄｉｏｄｅ；以下、ＬＥＤと称す。）素子が用いられる。詳しくは、波長が４４０〜４８０〔ｎｍ〕の青色光を出射するＬＥＤチップ上に青色光を黄色光に波長変換する蛍光体を配してパッケージ化された面実装部品である疑似白色ＬＥＤ素子が用いられる。発光素子３０１から出射する光は、発光面に垂直な軸に対して対称に照射角αだけ広がる。本実施の形態では、発光素子３０１の照射角αは、例えば、１２０度である。
【００４２】
基板３００の実装面は、反射率が高い高反射タイプのレジストが敷設された高反射面である。高反射タイプのレジストは、例えば白色である。基板３００の実装面には、高反射タイプのレジストに限らず、他の反射部材が、塗布、印刷、蒸着などの方法によって直接設けられてもよい。また、基板３００とは別部材である反射部材が基板３００に貼合されてもよい。
【００４３】
基板３００の非実装面は、台座主部３１０の載置面部３１２と当接する当接面である。基板３００は、接着部材（図示は省略）によって台座主部３１０に貼合される。接着部材は、例えば接着剤、粘着シート等である。基板３００の非実装面は、載置面部３１２と当接した状態で、発光素子３０１の動作熱を台座３１へ伝達する熱伝達面である。
【００４４】
＜台座３１＞
台座３１は、例えば、鉄、アルミニウム等の金属材料を用いて形成される。台座３１は、例えば金属製の板材を折り曲げて形成される。
【００４５】
台座３１は、長尺形状の平板である台座主部３１０と、台座主部３１０の短手方向の両端が折り曲げられて形成される一対の台座側部３２２とを備える。
【００４６】
台座主部３１０の取付面部３１１には、発光素子３０１に供給する点灯電力生成する点灯装置３５と、２つのバネ受具３６とが取り付けられている。また、取付面部３１１の反対側の面である載置面部３１２には、発光部３０が載置されている。詳しくは、発光部３０は、接着部材（図示は省略）を用いて基板３００の非実装面と載置面部３１２とを接着することによって、台座３１に固定されている。台座３１は、取付部材ともいう。台座３１は、発光部３０および点灯装置３５の動作熱を受熱し、放散させるヒートシンクとして機能する。
【００４７】
光源ユニット３が本体ユニット２に取り付けられた状態で、取付面部３１１は本体ユニット２の側である上向きＺ１に向いており、載置面部３１２は本体ユニット２と反対側である下向きＺ２に向いている。
【００４８】
２つの台座側部３２２は、台座主部３１０の短手方向の両端を基端部３２３として取付面部３１１の側に折り曲げられて上向きＺ１に立設している。基端部３２３と反対側の先端部は後述するカバー３３が取り付けられる台座係合部３２４であり、内側にカール状の折り曲げ加工が施されている。
【００４９】
台座３１は、短手方向Ｙに切る断面（長手方向Ｘに沿って見た断面）が略コ字形状である。すなわち、台座３１は、略コ字形状の断面形状で長手方向Ｘに沿って延設されている。
【００５０】
＜点灯装置３５＞
点灯装置３５は、ネジ（図示は省略）等の固定具を用いて台座主部３１０の取付面部３１１に取り付けられている。点灯装置３５は、商用電源等の外部電源から端子台２４３を介して供給される電力を発光素子３０１を点灯させる点灯電力に変換して発光部３０に供給する。点灯装置３５は、点灯装置３５の外郭部である電源ケース３５１と電源ケース３５１に収納され点灯電力を生成する電源回路が載置された電源ユニット（図示は省略）とを有する。
【００５１】
＜光源配線具４０＞
台座主部３１０の取付面部３１１には、器具電源線２４０と電気的に接続されて外部電源から点灯装置３５への電力供給経路となる光源電源線４０１、点灯装置３５で生成された点灯電力を発光部３０に供給する経路となる給電線４０３、点灯装置３５から出力される点灯電力を外部から制御するための制御信号の伝達経路となる制御線４０５を含む光源電線４００が配置されている。光源電源線４０１の先端には光源電源線コネクタ４０２が取り付けられており、器具電源線２４０の先端に取り付けられた器具電源線コネクタ２４１と接続される。
【００５２】
また、台座主部３１０の取付面部３１１には、光源電線４００を所定の位置に配置するための電線配置具４０６、光源電線４００の接続部分等に加わる応力を軽減するために光源電線４００を固定する電線保持具４０７が取り付けられている。
【００５３】
給電線４０３は、台座３１の取付面部３１１から、台座３１の長手方向Ｘにおける端部を経由して、台座３１の載置面部３１０へ配線される。給電線４０３に応力が加わったり、台座３１の端部で損傷したりすることがないように、台座３１の長手方向Ｘにおける端部に電線保持具４０７が設けられており、給電線４０３は、台座３１の長手方向Ｘにおける端部で電線保持具４０７に保持されている。給電線４０３は基板３００の実装面において、給電線４０３の給電コネクタ（図示は省略）と発光部３０の基板コネクタ（図示は省略）とが接続される。
【００５４】
＜バネ受具３６＞
図３〜図５に示すように、本実施の形態では、２つのバネ受具３６は、台座主部３１０の一面側であるある取付面部３１１の長手方向Ｘにおける両端部側にそれぞれ配置される。バネ受具３６は、取付面部３１１に形成された台座取付部３２０にネジ５０を用いて取り付けられる。バネ受具３６は、本体ユニット２が備えるバネ２２に対応する位置に配置される。つまり、バネ受具３６は、本体ユニット２が備えるバネ２２に対応して、光源ユニット３の長手方向Ｘにおける一方の端部側に配置されてもよいし、長手方向Ｘにおける両方の端部側に配置されてもよい。なお、バネ受具３６およびバネ受具３６に対応して本体ユニット２が備えるバネ２２は、光源ユニット３に取り付けられる点灯装置３５等と接触しない位置を選択して配置する。
【００５５】
バネ受具３６は、本体ユニット２が備えるバネ２２と係り合い（係合し）、光源ユニット３を本体ユニット２に連結固定する。バネ受具３６は、本体ユニット２のバネ２２とともに、光源ユニット３を引っ張ることによって本体ユニット２に取り付ける連結ユニット１０を構成する。そして、バネ受具３６は、異なる寸法あるいは異なる形状のバネと相互に係り合い（係合し）、本体ユニット２と光源ユニット３とを連結することができる。
【００５６】
＜光源ユニット３の取り付け方法＞
ここで、図４を参照して、本体ユニット２に光源ユニット３を取り付ける方法（施工方法）を説明する。光源ユニット３は、灯具、照明具などともいう。
【００５７】
まず、造営部９である天井に本体ユニット２を取り付ける。本体ユニット２を天井に取り付ける方法には、天井からつり下げられている吊ボルトに本体ユニット２を固定する方法およびネジなどの固定具により直接天井に本体ユニット２を固定する方法などがある。
【００５８】
本体ユニット２を造営部９に取り付ける際、天井から引き出された外部電源線であるＦケーブルを、本体ユニット２の光源ユニット取付部１０２の内部に引き込み、端子台２４３と接続する。このようにして、器具電源線２４０と器具電源線コネクタ２４１はＦケーブルと電気的に接続される。
【００５９】
次に、本体ユニット２側の連結部であるバネ２２を光源ユニット３側の連結部であるバネ受具３６と係合させる。このとき、図４に示すように、光源ユニット３と本体ユニット２との間に作業空間が存在する仮の取り付け状態で、器具電源線２４０と光源電源線４０１とを電気的に接続するなどの作業が行われる。その後、光源ユニット３を本体ユニット２に向かって上方に押し上げると、光源ユニット３は弾性部材であるバネ２２の弾性力によって引き上げられる。この結果、光源ユニット３が本体ユニット２に取り付けられる。
【００６０】
＜光源ユニット３の取り外し方法＞
次に、光源ユニット３を本体ユニット２から取り外す方法（施工方法）を説明する。光源ユニット３を取り外す作業の手順は、光源ユニット３を取り付ける作業の手順と逆の手順となる。
【００６１】
作業者は、光源ユニット３が本体ユニット２に取り付けられた状態から、カバー側部３３３を掴んで、光源ユニット３を略水平の状態のまま照射側（下方）に引き下げ、光源ユニット３と本体ユニット２との間に作業空間が存在する仮の取り付け状態とする。そして、バネ２２の先端部をバネ受具３６から取り外す。このようにして、光源ユニット３が本体ユニット２から取り外される。
【００６２】
＜カバー３３＞
図１から図５に示すように、カバー３３は、長尺形状に形成されており、長手方向が照明装置１の長手方向Ｘに沿うように発光素子３０１を覆って配置されている。カバー３３は、長手方向Ｘに沿って延設した主カバー３３０と、主カバー３３０の長手方向Ｘにおける両端部に取り付けられている端部カバー３４０とを備える。カバー３３は光源ユニット２の外郭部であり発光部３０を保護する機能を有している。
【００６３】
＜主カバー３３０＞
主カバー３３０は、発光素子３０１の発光面と対向する透光部３３１と透光部３３１の短手方向Ｙにおける両端部と繋がり上向きＺ１に立設する一対のカバー取付部３３６とを備える。透光部３３１およびカバー取付部３３６は、長手方向Ｘに沿って延在している。
【００６４】
透光部３３１は、発光素子３０１の発光面と対向するカバー主部３３２と、カバー主部３３２の短手方向Ｙにおける両端部と繋がり上向きＺ１に立設する一対のカバー側部３３３とを有する。
【００６５】
カバー取付部３３６は、カバー側部３３３のカバー主部３３２と反対側の端部と繋がっており、台座側部３２２に沿って上向きＺ１に立設した一対のカバー係合部３３７と台座主部３１０に沿って短手方向Ｙの発光素子３０１側に向って突設した一対のカバー支持部３３８とを有する。
【００６６】
カバー３３は、カバー取付部３３６が台座３１の短手方向Ｙの両端部に形成されている台座側部３２２を、短手方向Ｙにおける外側から覆うようにして台座３１に取り付けられる。詳しくは、カバー３３は、カバー係合部３３７が台座係合部３２４と係合し、カバー支持部３３８が台座主部３１０を支持することによって台座３１に固定される。
【００６７】
主カバー３３０は、樹脂材料を用いて押出成形などの方法によって製造される。主カバー３３０は、製品仕様に応じた所定の透過率（第１の透過率：τ１）を有するように形成される。主カバー３３０は全体が透光性の樹脂材料を用いて形成されてもよいし、透光部３３１を除く一部が遮光性の樹脂材料を用いて形成されてもよい。主カバー３３０は、樹脂材料として、例えば、アクリル、ポリカーボネート（ＰＣ）などを用いることができる。遮光性の樹脂材料として、高反射性の樹脂材料を用いることができる。主カバー３３０は、製品仕様に応じた所定の拡散率を有するように形成されてもよい。
【００６８】
主カバー３３０の透過率および拡散率は、主カバー３３０の成形時に添加される添加剤の含有率（含有量）、あるいは、主カバー３３０の成形後の厚さ寸法などによって調整することができる。
【００６９】
主カバー３３０は、押出成形で製造される場合、押出された後に製品仕様に応じた長さ寸法に切断される。切断面は、主カバー３３０の長手方向Xの両端面である。
【００７０】
＜端部カバー３４０＞
図７から図１０を参照して、実施の形態１に係る端部カバー３４０の構成を説明する。
【００７１】
図７は、実施の形態１に係る光源ユニット３の端部を説明する分解図であり、図７（ａ）は端部カバー３４０を取り外した状態の光源ユニット３の端部を示す分解斜視図であり、図７（ｂ）は端部カバー３４０を取り外した状態の光源ユニット３の端部を示す分解正面図である。図８は、実施の形態１に係る端部カバー３４０を説明する斜視図であり、図８（ａ）は内面部３４１０側から見た斜視図であり、図８（ｂ）は外面部３４１１側から見た斜視図である。図９は、実施の形態１に係る端部カバー３４０を説明する５面図である。図１０は、実施の形態１に係る端部カバー３４０の主カバー３３０への取り付けを説明する部分断面図であり、図１０（ａ）は図５におけるＢ−Ｂ断面図、図１０（ｂ）は図１０（ａ）におけるＣ部を拡大した拡大断面図である。
【００７２】
図７に示すように、端部カバー３４０は、主カバー３３０の長手方向Ｘにおける両端部に取り付けられている。端部カバー３４０は、主カバー３３０に取り付けられた状態で、主カバー３３０の長手方向Ｘにおける端面部である主カバー端部３３００を覆っている。詳しくは、主カバー端部３３００は、透光部３３１の端部の全てと取付部３３６の端部の一部とを覆うように主カバー３３０の長手方向Ｘにおける両端部に取り付けられている。
【００７３】
図８、図９に示すように、端部カバー３４０は、底部３４１、周部３４２、第１突出片３４３、第２突出片３４４、および嵌合部３４６を備えており、本実施の形態ではこれらは一体成形されている。
【００７４】
底部３４１は、透光部３３１の端部の全てと取付部３３６の端部の一部とを覆う形状と大きさで形成されている。底部３４１は、透光部３３１の端部と重なる部分において、透光部３３１の長手方向Ｘに沿って見た断面形状に対応した形状となっている。
【００７５】
周部３４２は、底部３４１の周縁から主カバー３３０に向かって形成されている。
第１突出片３４３および第２突出片３４４は、底部３４１における台座３１側の周縁から主カバー３３０に向かって突設して形成されている。
【００７６】
第１突出片３４３は、台座３１にカバー３３を取り付ける際のガイドとなる。詳しくは、第１突出片３４３台座３１あるいは台座３１の長手方向Ｘにおける端部に設けられた電線保持具４０７に対して位置決めを行う。
【００７７】
第２突出片３４２は、基板３００を間にして台座３１の載置面部３１１と近接して配置されており、基板３００が載置面部３１１から離間しても主カバー３３０と接触しないようにガードする。
【００７８】
嵌合部３４６は、周部３４２のやや内側の領域から主カバー３３０に向かって、突設して形成されている。嵌合部３４６は、外周部３４６０、内周部３４６１、および先端部３４６２からなる壁状に形成されている。嵌合部３４６は、全体が略同じ高さ寸法であり略同じ厚さ寸法である。
【００７９】
嵌合部３４６は、底部３４１がカバー主部３３２およびカバー側部３３３の端部と重なる部分に形成されている。本実施の形態では、端部カバー３４０は、嵌合部３４６がカバー主部３３２およびカバー側部３３３の内側に挿入された状態で嵌合し、主カバー３３０に取り付けられている。端部カバー３４０が主カバー３３０に取り付けられた状態で、嵌合部３４６の外周部３４６０は、主カバー３３０のカバー内面部３３１１と対向している。このように、主カバー３３０の端部と端部カバー３４０の嵌合部３４６とは、カバー３３を通過する光の向きと交差する方向に沿って積層されている。
【００８０】
嵌合部３４６のカバー主部３３２と嵌合する部分は主部嵌合部３４６３である。嵌合部３４６のカバー側部３３３と嵌合する部分は側部嵌合部３４６４である。
【００８１】
周部３４２におけるカバー３３側の端部から端部カバー３４０の内側に向って、対向部３４５が形成されている。対向部３４５は、主カバー３３０の切断面である主カバー端部３３００と対向するように面一に形成されている。端部カバー３４０が主カバー３３０に取り付けられた状態で、対向部３４５は主カバー端部３３００を覆っている。
【００８２】
対向部３４５のカバー主部３３２と対向する部分は主部対向部３４５１である。対向部３４５のカバー側部３３３と対向する部分は側部対向部３４５２である。そして、対向部３４５の取付部３３６と対向する部分は取付対向部３４５３である。
【００８３】
端部カバー３４０は、対向部３４５および対向部３４５と対向する主カバー端部３３００によって、長手方向Ｘにおける主カバー３３０に対する取付位置が決まる。
【００８４】
端部カバー３４０は、樹脂材料を用いて製造される。端部カバー３４０は、異なる透過率を有する部分が一体に形成されている。
【００８５】
端部カバー３４０の嵌合部３４６を除く部分は、製品仕様に応じた所定の透過率（第２の透過率：τ２）を有するように形成される。
【００８６】
端部カバー３４０の嵌合部３４６は、製品仕様に応じた所定の透過率（第３の透過率：τ３）を有するように形成される。第３の透過率は、主カバー３３０（透光部３３１）の透過率である第１透過率τ１、および端部カバー３４０の嵌合部３４６を除く部分の透過率である第２の透過率τ２のいずれよりも高い透過率である。つまり、本実施の形態では、嵌合部３４６は、カバー３３における最も高い第３の透過率τ３を有する高透過部３４８である。
【００８７】
本実施の形態では、高透過部３４８である端部カバー３４０の嵌合部３４６は、主カバー３３０の内側に配置されて積層部３４９を構成している。つまり、積層部３４９において、端部カバー３４０の嵌合部３４６は、主カバー３３０よりも発光素子３０１に近い位置に配置されている。
【００８８】
積層部３４９の透過率である積層透過率τＷは、第１透光部である主カバー３３０の透光部３３１の透過率である第１の透過率τ１、第２透光部である端部カバー３４０の嵌合部３４６を除く部分の透過率である第２の透過率τ２のいずれか低い透過率の５０％以上の透過率であることが望ましい。
【００８９】
すなわち、積層透過率τＷは、
τＷ≧０．５０×τ１［％］，τＷ≧０．５０×τ２［％］
であることが望ましい。
【００９０】
端部カバー３４０の嵌合部３４６を除く部分は、全体が透光性の樹脂材料を用いて形成されてもよいし、一部が遮光性の樹脂材料を用いて形成されてもよい。端部カバー３４０は、樹脂材料として、例えば、アクリル、ポリカーボネート（ＰＣ）などを用いることができる。端部カバー３４０は、製品仕様に応じた所定の拡散率を有するように形成されてもよい。高透過部３４８である嵌合部３４６は、略１００％の透過性を有する透明な材料を用いて形成することによって、高い透過率（第３の透過率：τ３）を得ることができる。
【００９１】
端部カバー３４０の透過率および拡散率は、成形時に添加される添加剤の含有率（含有量）、成形厚さ寸法などによって調整することができる。
【００９２】
＜本実施の形態の効果＞
本実施の形態において、端部カバーは、底部３４１が主カバー３３０のカバー主部３３２およびカバー側部３３３の端部と重なる部分に、カバー主部３３２およびカバー側部３３３嵌合するように形成された嵌合部３４６を有している。嵌合部３４６は、主カバー３３０（透光部３３１）の透過率である第１透過率τ１、および端部カバー３４０の嵌合部３４６を除く部分の透過率である第２の透過率τ２のいずれよりも高い透過率である第３の透過率τ３を有する高透過部３４８として形成されている。このため、主カバー３３０（透光部３３１）と嵌合部３４６とによって構成された積層部３４９は、積層透過率τＷの低下を抑制することができる。
【００９３】
積層透過率τＷをこのように設定することによって、照明装置１（光源ユニット３）の点灯時における積層部３４９を通過する光の利用効率が向上する。また、積層部３４９が極端に暗くなることによる不均一な発光を防ぐことができ、積層部３４９を含むカバー３３が全体に渡って均一な発光面にすることができる。このため、光源ユニット３および照明装置１は、点灯時における発光面（カバー３３の透光部３３１）の意匠性が向上し、マッハバンド効果、クレイク・オブライエン効果といった視覚効果による違和感を伴う不均一な印象が軽減される。
【００９４】
＜変形例＞
図１０（ｃ）、（ｄ）を参照して、実施の形態１の変形例を説明する。
図１０（ｃ）は本実施の形態の変形例１を説明する断面図、図１０（ｄ）は本実施の形態の変形例２を説明する断面図であり、いずれも図１０（ａ）におけるＣ部に相当する範囲を拡大した拡大断面図である。
【００９５】
（変形例１）
図１０（ｃ）に示すように、変形例１における端部カバー３４０ａは、積層部３４９を構成する嵌合部３４６と、嵌合部３４６に繋がる周部３４２ａの内側の部分とが、主カバー３３０（透光部３３１）の透過率である第１透過率τ１、および端部カバー３４０の嵌合部３４６を除く部分の透過率である第２の透過率τ２のいずれよりも高い透過率である第３の透過率τ３を有する高透過部３４８ａとして形成されている。
このため、周部３４２ａを通過する光（矢印Ｐ１）の利用効率が向上するとともに、周部３４２ａにおける意匠性が向上する。
【００９６】
（変形例２）
図１０（ｄ）に示すように、変形例２における端部カバー３４０ａは、さらに、底部３４１ｂの内側（内面部３４１１の側）の部分を含んで、主カバー３３０（透光部３３１）の透過率である第１透過率τ１、および端部カバー３４０の嵌合部３４６を除く部分の透過率である第２の透過率τ２のいずれよりも高い透過率である第３の透過率τ３を有する高透過部３４８ｂとして形成されている。
このため、底部３４１ｂを通過する光（矢印Ｐ２）の利用効率が向上するとともに、底部３４１ｂにおける意匠性が向上する。
【００９７】
実施の形態２．
図１１（ａ）を参照して、実施の形態２を説明する。
図１１（ａ）は本実施の形態に係る端部カバー３４０ｃを説明する断面図であり、図１０（ａ）におけるＣ部に相当する範囲を拡大した拡大断面図である。
【００９８】
図１１（ａ）に示すように、実施の形態２における端部カバー３４０ｃは、周部３４２ｃから、主カバー３３０のカバー外面部３３１０に沿って、長手方向Ｘにおける内向きＸ１に延設して一体に形成された嵌合部３４６ｃを有しており、主カバー３３０は、カバー外面部３３１０と周部内面部３４２１とが対向した状態で、端部カバー３４０ｃに嵌合されている。
【００９９】
そして、主カバー３３０の外側に配置されている嵌合部３４６ｃは、高透過部３４８ｃとして形成されており、主カバー３３０とともに積層部３４９を構成している。つまり、積層部３４９において、高透過部３４８ｃである嵌合部３４６ｃは、主カバー３３０よりも発光素子３０１から遠い位置に配置されている。
【０１００】
さらに、積層部３４９を構成する嵌合部３４６ｃと、嵌合部３４６に繋がる周部３４２ｃの外側の部分とが、主カバー３３０（透光部３３１）の透過率である第１透過率τ１、および端部カバー３４０の嵌合部３４６を除く部分の透過率である第２の透過率τ２のいずれよりも高い透過率である第３の透過率τ３を有する高透過部３４８ｃとして形成されている。
このため、積層部３４９および周部３４２ｃを通過する光（矢印Ｐ１）の利用効率が向上するとともに、積層部３４９および周部３４２ｃにおける意匠性が向上する。
【０１０１】
＜変形例＞
図１１（ｂ）、（ｃ）を参照して、実施の形態２の変形例を説明する。
図１１（ｂ）は本実施の形態の変形例１を説明する断面図、図１１（ｃ）は本実施の形態の変形例２を説明する断面図であり、いずれも図１０（ａ）におけるＣ部に相当する範囲を拡大した拡大断面図である。
【０１０２】
（変形例１）
図１１（ｂ）に示すように、変形例１における端部カバー３４０ｄは、高透過部３４８ｄの底部３４１ｄ側の端部にテーパ部３４２０が形成されている。テーパ部３４２０は、異なる透過率の材質で形成された高透過部３４８ｄと底部３４１ｄとの境界部分を幾何学的に強調している。
このため、底部３４１ｄにおける意匠性が向上する。
【０１０３】
（変形例２）
図１１（ｃ）に示すように、変形例２における端部カバー３４０ｅは、さらに、底部３４１ｅの外側（外面部３４１０の側）の部分を含んで、主カバー３３０（透光部３３１）の透過率である第１透過率τ１、および端部カバー３４０の嵌合部３４６を除く部分の透過率である第２の透過率τ２のいずれよりも高い透過率である第３の透過率τ３を有する高透過部３４８ｅとして形成されている。
このため、底部３４１ｅを通過する光（矢印Ｐ２）の利用効率が向上するとともに、底部３４１ｅにおける意匠性が向上する。
【０１０４】
実施の形態３．
図１２（ａ）を参照して、実施の形態３を説明する。
図１２（ａ）は本実施の形態に係る端部カバー３４０ｆを説明する断面図であり、図１０（ａ）におけるＣ部に相当する範囲を拡大した拡大断面図である。
【０１０５】
図１２（ａ）に示すように、実施の形態３における端部カバー３４０ｆは、実施の形態１の嵌合部３４６と、実施の形態２の嵌合部３４６ｃとの両方を備えた嵌合部３４６ｆを有する。
【０１０６】
嵌合部３４６ｆは、主カバー３３０の内側と外側との両方に高透過部３４８ｆとして形成されており、主カバー３３０とともに積層部３４９ｆを構成している。つまり、積層部３４９ｆにおいて、高透過部３４８ｆである嵌合部３４６ｆは、主カバー３３０よりも発光素子３０１近い位置と、遠い位置との両方に配置されている。
このような嵌合部３４６ｆを備えている端部カバー３４０ｆは、主カバー３３０に対して、より強固に取り付けることができる。
【０１０７】
＜変形例＞
図１２（ｂ）、（ｃ）、（ｄ）を参照して、実施の形態３の変形例を説明する。
図１２（ｂ）は本実施の形態の変形例１を説明する断面図、図１２（ｃ）は本実施の形態の変形例２を説明する断面図、そして、図１２（ｄ）は本実施の形態の変形例３を説明する断面図であり、いずれも図１０（ａ）におけるＣ部に相当する範囲を拡大した拡大断面図である。
【０１０８】
（変形例１）
図１２（ｂ）に示すように、変形例１における端部カバー３４０ｇは、積層部３４９を構成する嵌合部３４６ｇと、嵌合部３４６ｇに繋がる周部３４２ｇの内側の部分とが、主カバー３３０（透光部３３１）の透過率である第１透過率τ１、および端部カバー３４０の嵌合部３４６を除く部分の透過率である第２の透過率τ２のいずれよりも高い透過率である第３の透過率τ３を有する高透過部３４８ｇとして形成されている。
このため、周部３４２ｇを通過する光（矢印Ｐ１）の利用効率が向上するとともに、周部３４２ｇにおける意匠性が向上する。
【０１０９】
（変形例２）
図１２（ｃ）に示すように、変形例２における端部カバー３４０ｈは、さらに、底部３４１ｈの内側（内面部３４１１の側）の部分を含んで、主カバー３３０（透光部３３１）の透過率である第１透過率τ１、および端部カバー３４０の嵌合部３４６を除く部分の透過率である第２の透過率τ２のいずれよりも高い透過率である第３の透過率τ３を有する高透過部３４８ｈとして形成されている。
このため、底部３４１ｈを通過する光（矢印Ｐ２）の利用効率が向上するとともに、底部３４１ｈにおける意匠性が向上する。
【０１１０】
（変形例３）
図１２（ｄ）に示すように、変形例３における端部カバー３４０ｉは、変形例２とは異なり、底部３４１ｉの外側（外面部３４１０の側）の部分を含んで、主カバー３３０（透光部３３１）の透過率である第１透過率τ１、および端部カバー３４０の嵌合部３４６を除く部分の透過率である第２の透過率τ２のいずれよりも高い透過率である第３の透過率τ３を有する高透過部３４８ｉとして形成されている。
このため、変形例２と同様に、底部３４１ｉを通過する光（矢印Ｐ２）の利用効率が向上するとともに、底部３４１ｉにおける意匠性が向上する。
【０１１１】
＜その他＞
上記の実施の形態において、照明装置１は、本体ユニット２の上面を天井、壁等の造営部９に直付け設置される本体ユニット２の短手方向Ｙの幅寸法が、例えば、１５０ｍｍ直付けタイプの照明装置であるものとして説明した。しかし、照明装置１は、光源ユニット３といくつかの異なるタイプの本体ユニットとを組み合わせることによって、さまざまなタイプの照明装置を構成することができる。本実施の形態における透光性のカバー３３、および、カバー３３を取り付けて使用される光源ユニット３を用いることができる照明装置の一例を説明する。
【０１１２】
（バリエーション１）
照明装置は、本体ユニットの短手方向の幅寸法が照明装置１（本体ユニット２）の短手方向Ｙの幅寸法の１．５〜１．６倍であってもよい。具体的には、例えば、２３０ｍｍの幅寸法を採用することができる。この際、天井等の造営部９に対する照明装置の斜面部の角度は、１５０ｍｍの幅寸法の照明装置１（斜面部２０５）の角度よりも小さくなる。
【０１１３】
（バリエーション２）
直付けタイプの照明装置の別の例として、本体ユニットの斜面部が収容部２００の下端部から下方に向かって広がるように形成された反射笠タイプの本体ユニットを組み合せたものであってもよい。
【０１１４】
（バリエーション３）
照明装置は、光源ユニット３から照射される光を反射する構成を備えていないトラフタイプのような本体ユニットが組み合わせてもよい。
【０１１５】
（バリエーション４）
照明装置は、本体ユニットの少なくとも一部が天井等の造営部９に形成された取付孔に埋め込まれて取り付けられる埋込タイプの本体ユニットを備えたものであってもよい。照明装置の短手方向Ｙにおける幅寸法は、例えば、１００ｍｍ〜１５０ｍｍ程度の寸法を採用することができる。
【０１１６】
（バリエーション５）
埋込タイプの照明装置は、Ｃチャンネル回避型の本体ユニットを備えたものであってもよい。本体ユニットの取付孔に埋め込まれる部分の高さが低く抑えられており、照明装置の短手方向Ｙにおける幅寸法は、例えば、２２０ｍｍ程度の寸法を採用することができる。
【０１１７】
（バリエーション６）
照明装置１において、本体ユニット２と光源ユニット３との位置関係は、本体ユニット２が下で光源ユニット３が上であってもよいし、両者が水平に位置するような関係であってもよいし、両者が斜めに位置するような関係であってもよい。また、照明装置１は、長手方向Ｘあるいは短手方向Ｙに複数連結して使用することができる。
【０１１８】
（バリエーション７）
照明装置１、本体ユニット２および光源ユニット３は、いずれも長尺形状のものを例示して説明するが、これ限らず、正方形、円形、多角形など、他の形状を採用することができる。
【０１１９】
上記の実施の形態において、器具本体２０および器具端部２１は、板金が折り曲げられて形成されるものとして説明したが、これに限らない。器具本体２０あるいは器具端部２１は、押出成形などの方法で形成されたものであってもよい。また、器具本体２０あるいは器具端部２１は、金属材料以外の材料を用いて形成されてもよく、例えば、樹脂材料を用いて形成されたものであってもよい。
【０１２０】
上記の実施の形態において、発光部３０は、パッケージ化された面実装型（ＳＭＤ型）のＬＥＤ素子を用いた態様について説明したが、これに限らない。光源部１００は、複数のＬＥＤチップが基板上に直接実装され、複数のＬＥＤチップを蛍光体含有樹脂によって一括して封止した構成であるＣＯＢ（Ｃｈｉｐ  Ｏｎ  Ｂｏａｒｄ）型の発光部３０であってもよい。
【０１２１】
上記の実施の形態において、発光素子としてＬＥＤを例示して説明したが、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（ＥｌｅｃｔｒｏＬｕｍｉｎｅｓｃｅｎｃｅ）または無機ＥＬなどの発光素子を用いてもよい。そして、発光素子の数は、複数に限らず、１つであってもよい。詳しくは、長手方向の長さが基板３００または台座３１の長手方向の長さと略等しい、長尺の有機ＥＬ素子１つを発光素子３０１として用い、有機ＥＬ素子の長手方向と基板３００または台座３１の長手方向が並行になるように配置してもよい。
【０１２２】
上記の実施の形態において、台座３１は、金属製の板材を折り曲げて形成されるものと説明したが、これに限らず、台座３１は、押出成形など他の形成方法を用いて製造されるものであってもよい。また、台座３１は、金属製以外に、樹脂材料、セラミック材料などを用いて製造されたものであってもよい。樹脂材料として、例えば、アクリル、ポリカーボネート（ＰＣ）などを用いることができる。
【０１２３】
上記の実施の形態において、カバー３３は、樹脂材料を用いて押出成形などの方法で製造されるものと説明したが、これに限らず、カバー３３は押出成形の他、射出成形、３次元印刷成形などの方法で製造されるものであってもよい。また、カバー３３はガラス材料を用いて製造されるものであってもよい。
【０１２４】
以上、本発明の実施の形態および変形例について説明したが、これらの実施の形態および変形例のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０１２５】
１  照明装置、１０  連結ユニット、２  本体ユニット（照明器具）、２０  器具本体、２００  収容部（凹部）、２０１  器具底面部、２０２  器具側面部、２０３  開口縁部、２０４  開口周部（下面部）、２０５  斜面部（反射部）、２０６  貫通孔、２０７  固定孔、２０８  配線孔、２１  器具端部、２１０  ノックアウト、２１１  開口周部（下面部）、２２  バネ、２４  器具配線具、２４０  器具電源線、２４１  器具電源線コネクタ、２４２  制御線、２４３  端子台、２５  ネジ、３  光源ユニット（灯具）、３０  発光部、３００  基板、３０１  発光素子、３１  台座（取付部材）、３１１  取付面部、３１２  載置面部、３２０  台座取付部、３２２  台座側部、３２３  基端部、３２４  台座係合部、３３  カバー、３３０  主カバー、３３００  主カバー端部、３３１  透光部、３３１０  カバー外面部、３３１１  カバー内面部、３３２  カバー主部、３３２０  主部外面部、３３２１  主部内面部、３３３  カバー側部、３３３０  側部外面部、３３３１  側部内面部、３３６  カバー取付部、３３７  カバー係合部、３３８  カバー支持部、３４０  端部カバー、３４１  底部、３４１０  外面部、３４１１  内面部、３４２  周部、３４２０  テーパ部、３４２１  周部内面部、３４３  第１突出片、３４４  第２突出片、３４５，３４５ｃ〜ｉ  対向部、３４５１  主部対向部、３４５２  側部対向部、３４５３  取付部対向部、３４６，３４６ｃ〜ｉ  嵌合部、３４６０  外周部、３４６１  内周部、３４６２  先端部、３４６３  主部嵌合部、３４６４  側部嵌合部、３４８，３４８ａ〜ｉ  高透過部、３４９  積層部、３５  点灯装置、３５０  電源ユニット、３５１  電源ケース、３６  バネ受具、４０  光源配線具、４００  光源電線、４０１  光源電源線、４０２  光源電源線コネクタ、４０３  給電線  ４０４  給電線コネクタ、４０５  制御線、４０６  電線配線具、４０７  電線保持具、５０  ネジ、９  造営部。
【図１】
2019186120.tif 000003
【図２】
2019186120.tif 000004
【図３】
2019186120.tif 000005
【図４】
2019186120.tif 000006
【図５】
2019186120.tif 000007
【図６】
2019186120.tif 000008
【図７】
2019186120.tif 000009
【図８】
2019186120.tif 000010
【図９】
2019186120.tif 000011
【図１０】
2019186120.tif 000012
【図１１】
2019186120.tif 000013
【図１２】
2019186120.tif 000014